(57)【要約】  電流発生器デバイスが処理ユニット２を備え、処理ユニットは、所望の電流波を表す入力データを取得するように設計される入力モジュール６と、入力モジュール６に接続され、所望の電流波を受信し、一次電圧波を生成するように設計された管理及び制御モジュール８と、管理及び制御モジュール８に接続され、一次電圧波を受信し、出力電流波を生成するように一次電圧波を処理するように設計される出力モジュール１２とを備える。管理及び制御モジュール８は、出力モジュール１２から出力電流波を受信し、出力電流波を所望の電流波と比較し、それらの電流波が実質的に等しくない場合には、所望の電流波に実質的に等しい新たな出力電流波を得るように、一次電圧波を変更するように更に設計される。
2015525379.tif 000002
【特許請求の範囲】
【請求項１】
処理ユニット（２）を備える電流発生器デバイスであって、前記処理ユニット（２）が、
所望の電流波を表す入力データを取得するように設計された入力モジュール（６）と、
前記入力モジュール（６）に接続され、
前記所望の電流波を表す前記入力データを受信し、
一次電圧波を生成するように設計された管理及び制御モジュール（８）と、
前記管理及び制御モジュール（８）に接続され、前記一次電圧波を受信し、出力電流波を生成するように前記一次電圧波を処理するように設計された出力モジュール（１２）とを備え、
前記管理及び制御モジュール（８）は、
前記出力モジュール（１２）から前記出力電流波を受信し、
前記出力電流波を前記所望の電流波と比較し、それらの電流波が実質的に等しくない場合には、前記所望の電流波に実質的に等しい新たな出力電流波を得るように、前記一次電圧波を変更するように更に設計される、デバイス。
【請求項２】
前記管理及び制御モジュール（８）と前記出力モジュール（１２）との間に配置され、前記一次電圧波を受信し、それを増幅するように設計された増幅モジュール（１０）を更に備える、請求項１に記載のデバイス。
【請求項３】
前記入力デバイス（６）は、関連付けられたタッチスクリーンを備えるプロセッサを備える、請求項１又は２に記載のデバイス。
【請求項４】
前記出力モジュール（１２）は変圧器を備える、請求項１から３のいずれか一項に記載のデバイス。
【請求項５】
電流波を生成する方法であって、
ａ）所望の電流波を表す入力データを取得するステップ（１００）と、
ｂ）一次電圧波を生成するステップ（１０２）と、
ｃ）前記一次電圧波を処理し、それにより、出力電流波を得るステップと、
ｄ）前記出力電流波を前記所望の電流波と比較するステップ（１０４）と、前記出力電流波が、前記所望の電流波の対応する値の所定の範囲内にある値を刻々と有しない場合には、
ｅ）前記出力電流波と前記一次電圧波との間の伝達関数を計算するステップ（１０６）と、
ｆ）新たな一次電圧波を得るように前記伝達関数を適用するステップ（１０８）と、
ｇ）得られた前記一次電圧波が、前記所望の電流波の前記対応する値の所定の範囲内にある値を刻々と有する出力電流に対応するまで、ステップｃ）〜ｆ）を繰り返すステップと、
ｈ）最終的な出力電流波を得るように、ステップｇ）において得られた前記一次電圧波に比例−積分制御を適用するステップ（１１０）と、
ｉ）前記最終的な出力電流波の安定性を制御するステップ（１１２）と、
ｊ）前記最終的な出力電流波を前記所望の電流波と比較し（１１４）、それにより、それらの波が一致するか否かをチェックするステップとを含む方法。
【請求項６】
ステップｂ）とステップｃ）との間に、前記一次電圧波を増幅する動作を更に含む、請求項５に記載の方法。
【請求項７】
前記伝達関数を計算する動作（１０６）は、
前記出力電流波の電流値を表す出力電流データと、前記一次電圧波の電圧値を表す電圧データとの比を計算するし、それにより、第３のデータを得るステップを含む、請求項５又は６に記載の方法。
【請求項８】
前記伝達関数を適用する動作（１０８）は、
前記所望の電流波の前記電流値を表す、前記入力データに属する設定点データと、前記第３のデータとの間の比を計算し、それにより、新たな電圧データを得るステップを含む、請求項７に記載の方法。
【請求項９】
比例−積分制御を適用する動作（１１０）は、
ステップｇ）において前記所望の電流波の前記対応する値の所定の範囲内の値を有する前記出力電流波の前記電流値を表す最新の出力電流データを、前記入力データに属し、前記所望の電流波の前記電流値を表す設定点データと比較する動作と、
前記比較の結果に基づいて、ステップｇ）の前記出力電流波に関連付けられた前記一次電圧波の前記電圧値を表す電圧データを増加又は減少させる動作と、
先行するステップにおいて変更された前記電圧データに適用されることになる積分補正の計算を実行し、それにより、最終的な出力電流波を得る動作とを含む、請求項５から８のいずれか一項に記載の方法。
【請求項１０】
前記最終的な出力電流波の前記安定性を制御する動作（１１２）は、
前記波の前記平均二乗偏差間の差を計算し、それにより、第１の差データ（ｄ１）を得ることによって、所定の周期における前記最終的な出力電流波を、先行する周期において生成された前記最終的な出力電流波と比較する動作と、
前記第１の差データ（ｄ１）を第１の所定のしきい値と比較する動作と、
前記第１の差データ（ｄ１）が前記第１のしきい値より大きい場合には、前記第１の差データ（ｄ１）が前記第１のしきい値より小さくなるまで、ステップｈ）及びｉ）を繰り返す動作とを含む、請求項５から９のいずれか一項に記載の方法。
【請求項１１】
前記最終的な出力電流波を前記所望の電流波と比較する動作（１１４）は、
前記第１の差データ（ｄ１）が前記第１のしきい値より小さいか否かをチェックする動作と、
前記所望の電流波の前記平均二乗偏差と前記最終的な出力電流波の前記平均二乗偏差との間の差を計算し、それにより、第２の差データ（ｄ２）を得る動作と、
前記第２の差データ（ｄ２）を第２の所定のしきい値と比較する動作と、
前記第２の差データ（ｄ２）が前記第２の所定のしきい値より小さい場合には、前記方法を終了する動作と、
前記第２の差データ（ｄ２）が前記第２の所定のしきい値より大きい場合には、前記入力データに所定のオフセットを加え、前記第２のしきい値より小さな前記第２の差データ（ｄ２）が得られるまで、ステップｂ）〜ｊ）を繰り返す動作とを含む、請求項１０に記載の方法。
【発明の詳細な説明】
【技術分野】
【０００１】
本発明は電流発生器デバイス及び電流波生成方法に関する。
【０００２】
より具体的には、本発明は、ユーザによって供給される入力データに基づいて電流波形を生成する電流発生器及び方法に関する。
【背景技術】
【０００３】
文献ＲＭ２０１０Ｕ００００９６は、所定の二乗平均平方根値及び所定の周波数帯域を有する波形を伴う電流を生成することができるカレントミラーデバイスを開示する。
【０００４】
このデバイスによって生成される波の特定のパラメータは、波を生成するプロセス中にリアルタイムに変更できないので、これらのパラメータは動的に変調又は制御することはできない。更に、知られているデバイスは、オシロスコープのような読取り機器によって取得され、デバイス自体の入力に供給される波形を正確に再現することはできない。
【先行技術文献】
【特許文献】
【０００５】
【非特許文献１】ＲＭ２０１０Ｕ００００９６
【発明の概要】
【発明が解決しようとする課題】
【０００６】
したがって、本発明の目的は、波を生成するプロセス中にユーザによって変更することができ、外部読取り機器によって取得される波形を忠実且つ正確に再現することもできる、特定のパラメータによって定義された波形を動的に生成することができる電流発生器デバイス及び方法を提案することである。
【課題を解決するための手段】
【０００７】
これらの目的及び他の目的は、その特徴が請求項１に規定される電流発生器デバイス、及び請求項５に規定される電流波生成方法によって達成される。
【０００８】
従属請求項において具体的な実施例が記述されており、その内容は本説明の不可欠、且つ一体構成の部分と見なされるべきである。
【０００９】
本発明の更なる特徴及び利点は、添付の図面を参照しながら、非限定的な実例として純粋に与えられる、以下の詳細な説明から明らかになるであろう。
【図面の簡単な説明】
【００１０】
【図１】本発明によるデバイスのブロック図である。
【図２】出力電流波を生成し、制御するために管理及び制御モジュールによって実行される動作の流れ図である。
【図３】出力電流波にＰＩ制御を適用するために管理及び制御モジュールによって実行される動作の流れ図である。
【発明を実施するための形態】
【００１１】
図１は、本発明による電流発生器デバイスのブロック図を示す。
【００１２】
そのデバイスは、処理ユニット２に接続される電源１を備え、処理ユニットは更に、変換モジュール４と、入力モジュール６と、管理及び制御モジュール８と、増幅モジュール１０と、出力モジュール１２とを備え、これらの構成要素は後に詳細に説明される。
【００１３】
簡潔には、処理ユニット２は、出力モジュール１２の出力において出力電流波を生成するように設計され、前記出力電流波は、以下に説明されるように、入力モジュール６を通してユーザによって供給され、管理及び制御モジュール８によって処理されるデジタル入力データに基づいて生成される。
【００１４】
デジタル入力データは所望の電流波を表す。
【００１５】
出力電流波は、出力モジュール１２によって、知られている方法で寄生インダクタンスに関連付けられた抵抗を有する負荷１４に供給され、抵抗及び寄生インダクタンスは合わせて、負荷１４の誘導性インピーダンスを形成する。
【００１６】
好ましくは、出力電流波は、２０Ｈｚ〜７ｋＨｚの範囲内で変動する周波数と、０Ａ〜３０Ａの範囲内で変動するピーク値とを有する。
【００１７】
電源１は、２３０Ｖタイプの配電網であるか、又は知られているタイプの安定化電源装置であることが好ましい。
【００１８】
有利には、その入力において、好ましくは１１０Ｖ、１２５Ｖ、１６０Ｖ、２３０Ｖ、２６０Ｖ及び４００Ｖのような１組の値から選択された所定の値を有する供給電圧信号を受信し、その出力において、所定の値、例えば、２３０Ｖを有する出力電圧信号を供給するように設計された、知られている方法で作製された安定化電源装置を用いることができる。
【００１９】
外部電源１から得られた信号は、変換モジュール４に供給する交流電圧信号である。
【００２０】
変換モジュール４は、知られている方法で、交流電圧信号を連続した電圧信号に変換し、変換モジュールはその信号を入力モジュール６、管理及び制御モジュール８、増幅モジュール１０、並びに出力モジュール１２のそれぞれに送出する。
【００２１】
入力モジュール６は、ユーザによって供給されたデジタル入力データを受信し、そのデータを管理及び制御モジュール８に送出するように設計された入力処理ユニット、好ましくは、関連するタッチスクリーンを有するプロセッサを備える。入力モジュール６は、マンマシンインターフェースを形成し、画面表示のグラフィックス及びページは、デジタル入力データのユーザエントリを容易にするように、知られている方法でプログラム可能である。
【００２２】
入力モジュール６は、電流発生器デバイスに組み込むことができるか、又は電流発生器デバイスに知られている方法で接続されるリモートプロセッサとすることができる。
【００２３】
管理及び制御モジュール８は、出力において出力電流波を生成することができるように、増幅モジュール１０に送出されることになる一次電圧波を生成し、変更するように設計される。
【００２４】
増幅モジュール１０は、一次電圧波を受信し、それを増幅して最終電圧波を生成するように設計された電力増幅器であることが好ましい。
【００２５】
出力モジュール１２は、出力電流波を生成するように、増幅モジュール１０から受信された最終電圧波を知られている方法で処理するように設計された変圧器（知られている方法で一次分岐及び二次分岐を設けられる）を備える。
【００２６】
本説明の残り部分では、「出力電流波」という用語は、変圧器の二次分岐内に存在する波を示すために用いられる。
【００２７】
変圧器の二次分岐は追加のインダクタンスを含み、その値は、二次巻線のインダクタンスに加えられるときに、結果として生成される値が、例えば、負荷１４の誘導性インピーダンスより２桁〜３桁大きくなり、その結果、負荷インダクタンスが二次分岐内に存在する全インダクタンスに対して無視できるほどになるように選択される。
【００２８】
知られているタイプの少なくとも１つの電流測定トランスデューサが変圧器の一次分岐に接続され、このトランスデューサは、その中に流れる電流を表す信号を、管理及び制御モジュール８に送出するように設計される。この中間信号は、先に定義されたような出力電流波に、知られている方法で（変圧器の変圧比を介して）関連付けられ、以下に説明されるように、電流波生成方法のステップを実行するために管理及び制御モジュール８によって用いられる。
【００２９】
知られているタイプの少なくとも１つの電流測定トランスデューサが変圧器の二次分岐に接続され、このトランスデューサは、その中に流れる電流を表す信号を制御モジュール８に送信するように設計される。この信号は、先に言及されたように、二次分岐内に存在する出力電流波を表し、以下に説明される方法を実行するために管理及び制御モジュール８によって用いられる。
【００３０】
好ましくは、負荷１４の誘導性インピーダンスの異なる値範囲に基づいて動作するために、又は発生器の動作範囲を拡張するために、出力モジュール１２は、有利には、出力モジュール１２を切断することができ、処理ユニット２を外部出力モジュールに接続できるようにするスイッチに接続され、外部出力モジュールは、出力モジュール１２と実質的に同一であり、出力モジュール１２と同じ機能を提供するように設計される。
【００３１】
デジタル入力データによって、ユーザは、出力電流波として生成されることになる所望の電流波を定義できるようになる。
【００３２】
したがって、（所望の電流波のような）出力電流波は、知られている方法で複数の点を含み、それぞれの点は、入力モジュール６に関連付けられた座標系、例えば、コンピュータの画面上に表示され、画面左側の垂直方向中間にその原点を有するデカルト座標系内で定義される横座標値及び縦座標値によって特徴付けられる。
【００３３】
具体的には、デジタル入力データは、その形のタイプ（例えば、正弦波、方形波、三角波又は他の波）、これらの形を表す量（例えば、正弦波の振幅及び周波数、方形波の周期及びオン時間、三角波の周期、ランプ及びオン時間など）、及び最大ピーク電流値（例えば、約２１Ａｒ．ｍ．ｓ．を得るために、０Ａ〜３０Ａ）のような、波形パラメータを含む。
【００３４】
説明の残り部分において、「設定点データ」という用語は、所望の電流の瞬時値を表す、入力データに属するデータのみを示すために用いられる。
【００３５】
代替的には、デジタル入力データは複数の点（上記の座標系の横座標点及び縦座標点）を含む。
【００３６】
このようにして取得されたデジタル入力データは、管理及び制御モジュール８に送信される。
【００３７】
本発明の変形形態では、入力モジュール６は、オシロスコープなど、電流発生器デバイスの外部にある機器から任意の波形を取得するように設計され、これらの既知の波形から、知られている方法で、管理及び制御モジュール８に送信されることになるデジタル入力データを導出する。
【００３８】
有利には、入力モジュール６は、例えば、デジタル入力データを入力するためにユーザによって用いられるのと同じ画面上に、出力電流波の値を表示するように設計される。これらの値は、管理及び制御モジュール８によって（接続８ａを介して）出力モジュール１２の出力から得られ、管理及び制御モジュールによって、接続６ａを介して入力モジュール６に送出される。
【００３９】
好ましくは、入力モジュール６は、出力電流波形が安定するまで点灯されるインジケータランプを有する。このようにして、ユーザは、画面上に表示される波が依然として過渡的な段階にあり、したがって、所望の電流波に対応しないことを知らされる。
【００４０】
管理及び制御モジュール８は、入力モジュール６からデジタル入力データを受信し、増幅モジュール１０に送出されることになる一次電圧波を表す第１のデータを生成するように、以下に説明されるように、それらの入力データを刻々と処理するように設計される。
【００４１】
具体的には、第１のデータは、数値データであり、知られている方法でアナログ一次電圧波に変換され、その後、アナログ一次電圧波は増幅モジュール１０に送出される。
【００４２】
説明の残りの部分において、説明される全ての動作は、点値に関して刻々と実行されると見なされる。
【００４３】
説明の残りの部分において、「電圧データ」という用語は、一次電圧波の電圧値を表す、第１のデータに属するデータのみを示すために用いられる。これらの電圧データは、例えば、その変化の最小単位が所定のアナログ電圧範囲（ｍＶ単位）、例えば、０．１４ｍＶに対応するＤ／Ａコンバータを用いて変換を実行することによって、対応する瞬時電圧に変換される。
【００４４】
出力電流波は、出力モジュール１２によって、接続８ａを介して管理及び制御モジュール８に送出され、管理及び制御モジュール８は、それを知られている方法で変換し、それにより、この出力電流波を表す第２のデータを生成する。
【００４５】
説明の残りの部分において、「電流データ」という用語は、出力電流の瞬時値を表す、第２のデータに属するデータのみを示すために用いられる。
【００４６】
簡潔には、管理及び制御モジュール８は、以下に詳述されるように、第２のデータを入力データと比較し（すなわち、出力電流波を所望の電流波と比較し）、第２のデータが入力データに実質的に等しくなるまで（すなわち、出力電流波が所望の波に実質的に等しくなるまで）、第１のデータ（すなわち、一次電圧波）を変更するように設計される。
【００４７】
この説明において、「実質的に等しい」という用語は、出力電流波が、刻々と、所望の電流波の対応する電流値の所定の範囲内、例えば、±３％内に入る電流値を有することを示すために用いられる。
【００４８】
具体的には、管理及び制御モジュール８は、刻々と、図２の流れ図に示される動作を実行する。
【００４９】
したがって、増幅モジュール１０及び出力モジュール１２によって実行される後続の処理の助けを更に借りて、出力電流波が生成される。
【００５０】
最初に、第１のデータ、特に電圧データのための初期化値が設定され、これらの初期化値は、管理及び制御モジュール８によって以下に説明されるように処理された新たなデータに基づいて実質的に更新される。
【００５１】
ステップ１００において、管理及び制御モジュール８は、入力データ、特に設定点データを取得する。
【００５２】
ステップ１０２において、ピーク値が０から所望の電流波のピーク値の所定のパーセンテージ、例えば、９５％まで徐々に増加する出力電流波が得られるように、管理及び制御モジュール８は、上昇する一次電圧ランプを徐々に生成する。
【００５３】
そのランプを生成するように、管理及び制御モジュール８は、上記のＤ／Ａコンバータによって電圧データを変換し、それにより、知られている方法で、一次電圧波が得られ、増幅モジュール１０によって増幅され、出力モジュール１２によって処理されるときに、一次電圧波は出力電流波になる。
【００５４】
上記のように、出力電流波は、この時点で、接続８ａを介して、管理及び制御モジュール８に送出され、管理及び制御モジュール８は、ステップ１０４において、その電流波（第２のデータを得るために変換されている）を所望の電流波と（第２のデータと入力データとの比較を実行することによって）比較する。これらの波が実質的に等しくない場合には（言い換えると、出力電流波が、刻々と、所望の電流波の対応するレベルの所定の範囲内、例えば、±３％内に入る値を有しない場合には）、その手順は以下に示されるように継続する。
【００５５】
このステップＳ１０２において、「出力電流波」は、出力モジュール１２の変圧器の一次分岐内に位置する電流測定トランスデューサによって供給される中間信号であると見なされる。
【００５６】
代替的には、この変圧器の二次分岐内に位置する電流測定トランスデューサによって供給される信号を用いることができる。
【００５７】
更に、ランプを生成するように、管理及び制御モジュール８は、知られている方法で、所望の電流波と、ステップ１０２において生成された出力電流波との間の位相差を計算する。例えば、この位相差Δφは以下のように計算される。
【００５８】
【数１】
2015525379.tif 000003
【００５９】
ただし、Ｐｘ＿ＭＡＸは最大電流ピークが存在する点の位置（横座標）を表し、Ｐｘ＿ｍｉｎは、最小電流ピークが存在する点の位置（横座標）を表し、ｏｕｔｐｕｔは出力電流波を表し、ｄｅｓｉｒｅｄは所望の電流波を表す。
【００６０】
経時的に記述される動作を実行するために用いられる瞬時データの使用が参照されるとき、以下に示される全てのステップにおいて、知られている方法で位相差Δφが用いられる。
【００６１】
実際には、位相差Δφによって、所望の電流波及び出力電流波の対応する点を処理できるようになる。
【００６２】
所定の瞬間ｔｘにおいて、所与のデータ要素（所与の電流波、例えば、所望の電流波又は出力電流波のアナログ値に対応する）を取得することが望ましい場合には、電流発生器デバイスは、瞬間ｔｘ＋Δφにおいて、言い換えると、そのデバイスの電気的慣性（時定数）に起因する遅延後に、このデータ要素を返す。
【００６３】
位相差Δφを知ることによって、瞬間ｔｘ＋Ｔにおいて送信されることになる対応する点を補正又は変更するために、瞬間ｔｘにおいてどのデータ要素（アナログ値）が考慮されるべきであるかを知ることができるので、位相差Δφを知ることは非常に重要である。ただし、Ｔは当該波の周期である。
【００６４】
したがって、簡単にするために、説明の残り部分において、所望の電流波及び出力電流波の瞬時値のみが示されることになるが、２つの異なる波に属する対応する点が互いに対して配置されることになるときに、この中に、知られている方法で、位相差Δφの適用が常に含まれなければならない。
【００６５】
出力電流波が所望の電流波に実質的に等しくないとき、ステップ１０６において、管理及び制御モジュール８は、出力電流波と一次電圧波との間の比を求めるために、知られている方法で、伝達関数を計算する。
【００６６】
したがって、管理及び制御モジュール８は、刻々と、出力電流データと電圧データとの間の比を計算し、それより、２つのアナログ波間の増幅比を表す第３のデータを得る。
【００６７】
ステップ１０８において、管理及び制御モジュール８は、所望の電流波の対応する値の所定の範囲、例えば、±３％内に入る値を刻々と有する新たな出力電流波に対応する新たな一次電圧波を得るために、伝達関数を適用する。
【００６８】
具体的には、管理及び制御モジュール８は、伝達関数を適用し、それにより、新たな電圧データを得るために、設定点データと第３のデータとの比を計算する。
【００６９】
ステップ１０２、１０４、１０６及び１０８は、その後、設定点データからのその差が、所定の範囲、例えば、±３％内に入る最新の出力電流データを刻々と有する出力電流波に対応する一次電圧波が得られるまで繰り返される。
【００７０】
この時点で、ステップ１１０において、管理及び制御モジュール８は、図３の流れ図に示される動作を実行することによって、一次電圧波にＰＩ（比例−積分）制御を適用する。
【００７１】
ＰＩ制御は、出力電流波が安定した状態のままであるように、一次電圧波が変更されるようにしなければならない。その方法のこのステップにおいて、動作は非線形状態において行われるので、不安定化する作用をもたらす突然の補正を行うことなく、先行するステップの最後に達成された平衡状態をできる限り保持する必要がある。
【００７２】
具体的には、ＰＩ制御は、刻々と、設定点データと最新の出力電流データとの間の比較（比例補正）のステップ２００を含む。
【００７３】
これらの最新の出力電流データが設定点データより小さい場合には、電圧データを所定の量だけ、例えば、Ｄ／Ａコンバータの変動の最小単位だけ増加させる。
【００７４】
一方、最新の出力電流データが設定点データより大きい場合には、電圧データを所定の量だけ、例えば、Ｄ／Ａコンバータの変動の最小単位だけ減少させる。
【００７５】
ステップ２０２において、その後、管理及び制御モジュール８は、上記のように増加又は減少する電圧データに適用されることになる積分補正の計算を実行する。
【００７６】
具体的には、電圧データは上記のように計算された積分値だけ新たに増加する。
【００７７】
積分値は、設定点データと出力電流データとの間に存在する誤差の代数総和によって得られた和データ要素である。好ましくは、この積分値は所定の減衰係数、例えば、５×１０−６と乗算される。
【００７８】
積分値は以下のように計算される。先行するステップの実行中に、管理及び制御モジュール８は、設定点データと、刻々と生成される出力電流データとの間の差（所望の電流波と出力電流波との間の差）を計算し、複数の差データを得る。これらの差データが代数的に加算され、それにより、上記の和データ要素が得られる。最後に、先に言及されたように、和データ要素が減衰係数と乗算される。
【００７９】
この時点で、ＰＩ補正が終了され、その出力に最終的な出力電流波が現れ（この波は、比例補正と、その後の積分補正の結果として、その電圧データがあらかじめ増加及び減少している一次電圧波から生成される）、最終的な出力電流データに関連付けられる。
【００８０】
ＰＩ補正のステップは、順次に行われるかのように先に説明されたが、実際には、管理及び制御モジュール８はステップ２００及び２０２を非同期に実行し、したがって、これらのステップは概ね同時に完了するので、電圧データは、これらのステップの結果に基づいて、一時点で一緒に変更されることに留意されたい。
【００８１】
この時点で、図２に戻ると、その方法は、後続のステップ１１２に進み、そのステップでは、最終的な出力電流波の安定性が制御される。
【００８２】
このために、所与の周期における最終的な出力電流波が、先行する周期において生成された最終的な出力電流波と比較され（２つの連続する周期内の波の対応する点間の比較）、それにより、これらの波の二乗平均平方根偏差間の差が得られる。
【００８３】
具体的には、先行する周期Ｔに属するｔに対応する瞬間における同じ波の二乗平均平方根偏差（ＳＱＭｔ−Ｔ）とともに、所与の瞬間ｔにおける最終的な出力電流波の二乗平均平方根偏差（ＳＱＭｔ）が計算され、これらの差が求められる。
【００８４】
具体的には、所与の瞬間ｔにおける最終的な出力電流波の点ごとに、この点と、先行する周期ｔ−Ｔにおける最終的な出力電流波のそれぞれの点との間の差が計算される。全てのこれらの差の和が第１の差データｄ１を形成する。
【００８５】
ｄ１が第１の所定のしきい値、例えば、３５より大きい場合には、ｄがしきい値より小さくなるまで、ステップ１１０及び１１２が繰り返される。
【００８６】
ｄ１が第１のしきい値より小さい場合には、ステップ１１４で最終的な出力電流波が所望の電流波と比較され、それらの波が一致するか否かに関するチェックが行われる。
【００８７】
この説明において、「一致する」という用語は、電流発生器デバイスの物理的な精度の限界において、最終的な出力電流波が所望の電流波と同一であることを示すために用いられる。
【００８８】
このために、最終的な出力電流波の二乗平均平方根偏差（ＳＱＭｆｉｎａｌ）とともに、所望の電流波の二乗平均平方根偏差（ＳＱＭｄｅｓｉｒｅｄ）が計算され、これらの差が求められる。
【００８９】
具体的には、所望の電流波の点ごとに、この点と、最終的な出力電流波のそれぞれの点との間の差が計算される。全てのこれらの差の和が第２の差データｄ２を形成する。
【００９０】
ｄ２が第２の所定のしきい値、例えば、５００より小さいとき、電流発生器デバイスの精度の限界に達しているので、その方法は終了する。
【００９１】
ｄ２が第２のしきい値より大きいとき、（例えば、所定のアンペア数、例えば、１ｍＡだけ大きくすることによって）設定点データに所定のオフセットが加えられ、その方法はステップ１００から再開する。このようにして、補正の改善を妨げる任意の非線形性が補償され、一方、ユーザによって最初に入力された設定点データが保持される。
【００９２】
明らかに、本発明の原理が保持されるなら、添付の特許請求の範囲において規定されるような本発明の範囲から逸脱することなく、実施例の応用形態の形及び細部を、非限定的な例によって単に記述及び図示されてきた内容から広く変更することができる。
【図１】
2015525379.tif 000004
【図２】
2015525379.tif 000005
【図３】
2015525379.tif 000006
【国際調査報告】
2015525379.tif 000007
2015525379.tif 000008